(57)【要約】 【課題】  搬送路板を水洗いして清掃することができるとともに、被搬送物を任意の位置に無造作に置くことができる、かつ、被搬送物を搬送路から容易に取り上げることができる循環型搬送装置を提供すること。【解決手段】  搬送路板２の直下には複数の第２磁性部材ＭＧ２を取付けた駆動チェーン７が、搬送路板２によって水密に仕切て循環移動するように構成されているので、搬送路板２を水洗いしても第２磁性部材ＭＧ２に水がかかる恐れがなく、またシート体５に設けたは第１磁性部材ＭＧ１が第２磁性部材ＭＧ２によって牽引されるので、シート体５上の任意の位置に寿司皿３を置くことができ、且つ寿司皿３をシート体５から取る場合にも何等抵抗を受けることがない。【選択図】  図２
2005289548.tif 000002
【特許請求の範囲】
【請求項１】
無端状をなす搬送路に設けた非磁性体の搬送路板上に載置した第１磁性部材を有するシート体が被搬送体を載置して、該搬送路板下方に配設された循環移動する第２磁性部材によって循環移動される循環型搬送装置であって、前記シート体は搬送路板上に無端状に連続的に複数配設されているとともに、第２磁性部材が各シート体の第１磁性部材と対設して設けられ、隣接したシート体同士は搬送路の曲線路上を移動できるように相互に揺動自在であることを特徴とする循環型搬送装置。
【請求項２】
前記各シート体の被搬送体載置面は略同一高さ面となっている請求項１に記載の循環型搬送装置。
【請求項３】
前記各シート体は所定長さに亘り相互に連結されている請求項１または２に記載の循環型搬送装置。
【請求項４】
前記シート体の形状は略三日月状である請求項１ないし３のいずれかに記載の循環型搬送装置。
【請求項５】
前記搬送路が飲食カウンターに沿って設けられ、前記被搬送物が飲食容器である請求項１ないし４のいずれかに記載の循環型搬送装置。
【発明の詳細な説明】
【技術分野】
【０００１】
本発明は、無端状をなす搬送路に設けた非磁性体の搬送路板上に載置した第１磁性部材を有するシート体が被搬送物を載置して、該搬送路板下方に配設された循環移動する第２磁性部材によって循環移動される循環型搬送装置に関する。
【背景技術】
【０００２】
従来、磁性体の磁力により被搬送物が循環移動する循環型搬送装置は、例えば、回転寿司と呼ばれている寿司店の循環型飲食物搬送装置として使用されている。そして被搬送物として底面に磁性体が張り付いた飲食容器が用いられ、搬送路には搬送路板としての平滑なスライド板がハウジングに一体化して設けられ、このスライド板の下に配置したチェーンにより移動する磁性体により飲食容器が寿司を載せてスライド板上を移動することで、飲食客に寿司を提供している（特許文献１、２参照）。
【０００３】
【特許文献１】特開平１１−４６９５９号公報（段落００１９及び図２）
【特許文献２】特開平１１−３１３７４７号公報（段落００１９及び図２）
【発明の開示】
【発明が解決しようとする課題】
【０００４】
前記特許文献記載の循環型飲食物搬送装置は、搬送路板の下には磁性体を移送するためのチェーンは配置されているものの、搬送路板上の飲食容器はチェーン等によって牽引されていないため、搬送路板を境にして飲食容器側と駆動側とを分離することができ、搬送路板を水洗いしても駆動側に水が漏れることがなく清掃に便利である。しかしながら、被搬送体である飲食容器は磁性体を有しているために、搬送路板上に置く位置は搬送路板の下にある駆動磁性体の位置に対応した場所に限定されてしまい、適当な場所に無造作に置くことができないばかりか、飲食容器を取る場合には磁力に抗して取らなければならず、時には飲食物を容器から落としてしまう不具合もあった。
【０００５】
本発明は、このような問題点に着目してなされたもので、搬送路板を水洗いして清掃することができるとともに、被搬送物を任意の位置に無造作に置くことができ、かつ、被搬送物を搬送路から容易に取り上げることが可能な循環型搬送装置を提供することを目的とする。
【課題を解決するための手段】
【０００６】
上記課題を解決するために、本発明の請求項１に記載の循環型搬送装置は、無端状をなす搬送路に設けた非磁性体の搬送路板上に載置した第１磁性部材を有するシート体が被搬送体を載置して、該搬送路板下方に配設された循環移動する第２磁性部材によって循環移動される循環型搬送装置であって、前記シート体は搬送路板上に無端状に連続的に複数配設されているとともに、第２磁性部材が各シート体の第１磁性部材と対設して設けられ、隣接したシート体同士は搬送路の曲線路上を移動できるように相互に揺動自在であることを特徴としている。
この特徴によれば、第２磁性部材側は搬送路板によって被搬送体側と分離されているので、搬送路板を水洗いしても第２磁性部材側に水が漏れる恐れがなく、また被搬送体は連続的に配設されたシート体上の任意の位置に置くことができ、かつ曲線路上をシート体により円滑に移動することができる。しかも被搬送体をシート体から取る場合に磁力の抵抗を何等受けない。
【０００７】
本発明の請求項２に記載の循環型搬送装置は、請求項１に記載の循環型搬送装置であって、前記各シート体の被搬送体載置面は略同一高さ面となっていることを特徴としている。
この特徴によれば、シート体の被搬送体載置面が連続した平坦面となるので、被搬送体を円滑かつ安定して載置できる。
【０００８】
本発明の請求項３に記載の循環型搬送装置は、請求項１または２に記載の循環型搬送装置であって、前記各シート体は所定長さに亘り相互に連結されていることを特徴としている。
この特徴によれば、シート体を洗浄等で取り外すのに、取り出しやすい長さに亘りまとめて搬送路板より分離させることができる。
【０００９】
本発明の請求項４に記載の循環型搬送装置は、請求項１ないし３のいずれかに記載の循環型搬送装置であって、前記シート体の形状は略三日月状であることを特徴としている。
この特徴によれば、シート体の形状が略三日月状であると、隣接するシート体を相互に揺動かつ近接させることができる。
【００１０】
本発明の請求項５に記載の循環型搬送装置は、請求項１ないし４のいずれかに記載の循環型搬送装置であって、前記搬送路が飲食カウンターに沿って設けられ、前記被搬送物が飲食容器であることを特徴としている。
この特徴によれば、例えば、飲食容器に寿司を載せ、飲食カウンターに沿って循環させることにより、回転寿司の如き店舗での利用価値が高い。
【発明を実施するための最良の形態】
【００１１】
本発明の実施例を以下に説明する。
【実施例１】
【００１２】
本発明の実施例を図１ないし図３に基づいて説明する。図１は実施例１に係る循環型飲食物搬送装置の外観斜視図、図２は実施例１に係る循環型飲食物搬送装置の搬送路を横切る断面図、図３は実施例１に係る循環型飲食物搬送装置の搬送路の部分側面断面図である。
【００１３】
図１に示される循環型飲食物搬送装置（以下循環型搬送装置と称する）１は、磁性体の磁力により被搬送物（例えば後述する寿司皿）を循環移動するチェーンレスコンベアである。
【００１４】
この循環型搬送装置１は、無端状をなす循環搬送路Ｌに設けた非磁性体（例えば帯板状のガラス板）で構成される搬送路板２（図２参照）上に永久磁石などから成る第１磁性部材ＭＧ１を埋め込んだ従来から公知の形状として知られる被搬送体（寿司皿等）を載置して搬送する略三日月板状（クレセント型）のシート体５が複数搬送路板２に沿って配設され、その直下を循環移動する第２磁性部材ＭＧ２の磁力に吸引されて循環移動されるように構成されている。
【００１５】
このシート体５は、搬送路板２上に無端状に連続的に複数配設されているとともに、第２磁性部材ＭＧ２がシート体５の内部に埋め込まれた第１磁性部材ＭＧ１と対設して設けられ、搬送方向前後に隣接したシート体５同士は、循環搬送路Ｌの曲線路を円滑に移動できるように凹凸の円弧状に形成された外形（いわゆるクレセント型）の摺接部が相互に摺接して搬送路板２の上面で揺動できるように構成されている。
尚、好ましくは、このシート体５の搬送路板２と接触する面に突起部を形成することで摺動抵抗を低減することができる。
【００１６】
帯板状のガラス板等で構成される搬送路板２は、直線部分ないし曲線部分が持運び容易な所定長さに分割されていて、搬送路の周囲を囲むように構成されたハウジング６の上部に水密に支持されており、複数のシート体５が摺動する載置面は、滑らかな平坦面として構成されている。
【００１７】
図３に示すように、搬送路板２の直下には駆動チェーン７がチェーンレール８に沿って搬送路内を循環移動するように案内支持されていて、この駆動チェーン７には、円柱状に形成された金属製の第２磁性部材ＭＧ２がホルダ１０を介して所定間隔あけて取付けられ、この第２磁性部材ＭＧ２に対応する位置にシート体５の第１磁性部材ＭＧ１が連接配置されている。
【００１８】
次に、本実施例１に係る循環型搬送装置の作用に付き以下説明する。先ず、電源の投入により図示しない駆動源が起動されると駆動チェーン７が一定方向に向けて循環移動が始し、これにより搬送路板２の上面全面に亘って複数配置されたシート体５が駆動チェーン７の第２磁性部材ＭＧ２の磁力に吸引され連なった状態で循環移動が開始される。
【００１９】
そこで、例えば厨房側より各種寿司１２などを盛り付けた寿司皿３は、循環移動するシート体５上の任意の位置に載置されて客席側に順次供給され、飲食客によってシート体５上から取出された寿司皿３は、循環搬送路Ｌに沿って配置される飲食カウンタＴ上に載置され飲食に供される。
【００２０】
このように、実施例１によれば、搬送路板２の直下には複数の第２第２磁性部材ＭＧ２を取付けた駆動チェーン７が、搬送路板２によって水密に仕切られた循環搬送路内を循環移動するように構成されているので、搬送路板２を水洗いしても第２磁性部材ＭＧ２に水がかかる恐れがなく、また搬送される寿司皿３は、連続的に配設されたシート体５上の任意の位置に置くことができ、且つ寿司皿３はシート体に載っているだけで、磁力は作用せず、寿司皿３を手元に取り出す際に、磁力による抵抗を受けることはない。
【００２１】
また、複数のシート体５が摺動する寿司皿３を載置する載置面は、略同一高さの連続した滑らかな平坦面として構成されており、寿司皿３を円滑かつ安定して載置することができる。
【００２２】
更に、シート体５は、略三日月状（クレセント型）に形成されているので、搬送時において曲線路を移動する際でも隣接するシート体５が相互に円滑に揺動し、且つ近接させて移動させることができる。
【実施例２】
【００２３】
次に、循環型搬送装置の実施例２に付き、図４（ａ）、（ｂ）及び図５を参照して説明する。図４（ａ）、（ｂ）は実施例２に係り、（ａ）は搬送路板上に載置され互いに連結されて循環移動されるクレセント型シート体の平面図、（ｂ）は（ａ）のＡ−Ａ線に沿った断面図、図５は前後に連結可能なクレセント型シート体の分解斜視図である。
【００２４】
符号１４は略三日月板状（クレセント型）のシート体を示しており、このシート体１４は、隣接する搬送方向前後に配置される単一のシート体１４を、連結ピンＰを介して所定長さに亘り相互に着脱可能に連結されるように構成したものである。
【００２５】
詳しくは、シート体１４は、搬送方向の前端には段付き第１円弧部２５が形成されておりその後端には段付き第２円弧部２６が形成されている。この段付き第２円弧部２６は、小径の切欠き円弧部２４と平坦な浅溝から成る支持面２２ａと大径の円弧部２２から構成されていて、支持面２２ａの中央には連結ピンＰを螺着するネジ穴１８が螺設されている。  また、第１円弧部２５下面には支持面２２ａと摺接する平坦な浅溝から成る支持面２２ｂが形成されている。
【００２６】
尚、シート体１４の前端に形成される第１円弧部２５は、後端の段付き円弧部２２より小径に形成され、搬送路の曲線部をシート対１４が移動するとき、隣接するシート体同士が当接することなく相互に揺動できるようになっている。
【００２７】
そして、シート体１４前端の上面には、第１円弧部２５に沿って円弧状の段付き長溝１６が形成されており、この段付き長溝１６は、下方が狭く上方が広い幅を有し、下方の溝幅は連結ピンＰの軸部ＰＡは挿通できるが、連結ピンＰの頭部ＰＢは挿通できないような大きさに設定されている。
【００２８】
このように構成されたシート体１４は、図５に示すように、搬送方向後方に配置される第１円弧部２５下面の支持面２２ｂを、隣接配置されたシート体１４後端の段付き円弧部の支持面２２ａ上に支持した状態で、シート体１４の円弧状長溝１６から挿通した連結ピンＰを隣接シート体１４のネジ穴１８に螺着することで、隣接する前後のシート体１４が揺動可能に連結される。
【００２９】
従って、実施例２によれば、シート体１４とその隣接シート体１４は連結ピンの頭部ＰＢを介して相互に係止されるので、連結状態で一体的に取り付け取り外しができる。シート体を持ち運びやすい所定の長さに連結させておけば、シート体の清掃時等においてに１枚１枚シート体を搬送路板２より取り外す必要がない。
【００３０】
以上、本発明の実施例を図面により説明してきたが、具体的な構成はこれら実施例に限られるものではなく、例えば、シート体は必ずしも三日月状である必要はなく、隣接するシート体同士が搬送路の曲線部で相互に当接しないような形状であればどの様な形状のものでもよい。
【図面の簡単な説明】
【００３１】
【図１】実施例１に係る循環型飲食物搬送装置の外観斜視図である。
【図２】実施例１に係る循環型飲食物搬送装置の搬送路を横切る断面図である。
【図３】実施例１に係る循環型飲食物搬送装置の搬送路の部分側面断面図である。
【図４】（ａ）、（ｂ）は実施例２に係り、（ａ）は搬送路板上に載置され互いに連結されて循環移動されるクレセント型シート体の平面図、（ｂ）は（ａ）のＡ−Ａ線に沿った断面図である。
【図５】同じく前後に連結可能なクレセント型シート体の分解斜視図である。
【符号の説明】
【００３２】
１                        循環型搬送装置（循環型飲食物搬送装置）
２                        搬送路板（非磁性体）
３                        寿司皿（被搬送体）
５                        シート体
６                        ハウジング
７                        駆動チェーン
８                        チェーンレール
１０                      ホルダ
１２                      寿司
１４                      シート体
１６                      円弧状段付き長溝
１８                      ネジ穴
２２                      大径円弧部
２２ａ，２２ｂ            支持面
２４                      小径の切欠き円弧部
２５                      第１円弧部
２６                      第２円弧部  
Ｌ                        循環搬送路
ＭＧ１                    第１磁性部材
ＭＧ２                    第２磁性部材
Ｐ                        連結ピン
ＰＡ                      軸部
ＰＢ                      頭部
Ｔ                        飲食カウンタ
【図１】
2005289548.tif 000003
【図２】
2005289548.tif 000004
【図３】
2005289548.tif 000005
【図４】
2005289548.tif 000006
【図５】
2005289548.tif 000007